(57)【要約】  【課題】構造が簡素で、係合効果又は係止効果を得ることができる上、栓体の洗浄が不便だった従来の問題を解決することができる、飲料用容器の栓体を提供する。  【解決手段】飲料用容器の栓体１０は底蓋２０及び保護蓋４０を備える。底蓋２０は、飲料用容器の開口に着脱自在に結合される環部２１と、環部２１に接続した頂部２３と、環部２１と頂部２３との間に形成された内部空間２４と、頂部２３が一定の高さで隆起し、内部空間２４と連通するノズル２５とを有する。保護蓋４０は、一端が底蓋２０に枢着されるとともに、底蓋２０から外れて外方へ引っ張ることが可能な係合片４９を他端に有する。保護蓋４０が閉位置にあるとき、底蓋２０の頂部２３と保護蓋４０とノズル２５との間に環状空間が形成される。保護蓋４０が開位置にあるとき、係合片４９の係合関係が解除されて底蓋２０の頂部２３から保護蓋４０が外れる。【選択図】図３
0003200739.tif 000002
【実用新案登録請求の範囲】
【請求項１】
底蓋及び保護蓋を備えた飲料用容器の栓体であって、
前記底蓋は、前記飲料用容器の開口に着脱自在に結合される環部と、前記環部に接続した頂部と、前記環部と前記頂部との間に形成された内部空間と、前記頂部が一定の高さで隆起し、前記内部空間と連通するノズルと、を有し、
前記保護蓋は、一端が前記底蓋に枢着されるとともに、前記底蓋から外れて外方へ引っ張ることが可能な係合片を他端に有し、枢着箇所を中心として開位置と閉位置との間で往復運動し、
前記保護蓋が閉位置にあるとき、前記底蓋の頂部と前記保護蓋と前記ノズルとの間に環状空間が形成され、前記係合片と前記底蓋とが係合関係になると、前記ノズルが前記保護蓋により封止され、
前記保護蓋が開位置にあるとき、前記係合片の係合関係が解除されて前記底蓋の頂部から前記保護蓋が外れ、前記ノズルが封止されていない状態になることを特徴とする飲料用容器の栓体。
【請求項２】
前記保護蓋と前記底蓋との前記枢着箇所に取り付けられ、前記保護蓋を元の位置に戻す蓄勢を発生させる弾性部材をさらに備えることを特徴とする請求項１に記載の飲料用容器の栓体。
【請求項３】
前記係合片と前記ノズルとが係合関係に維持されることを特徴とする請求項１又は２に記載の飲料用容器の栓体。
【請求項４】
前記係合片は、閉蓋されるときに前記ノズルの外表面に形成された凸部と係合する凹部を有することを特徴とする請求項３に記載の飲料用容器の栓体。
【請求項５】
前記係合片の幅は、前記ノズルより大きいことを特徴とする請求項３に記載の飲料用容器の栓体。
【請求項６】
前記係合片は、少なくとも１つのスリットを有することを特徴とする請求項３に記載の飲料用容器の栓体。
【請求項７】
前記保護蓋は、基板と、前記基板に形成された少なくとも１つのリブと、を含み、
前記係合片と前記基板とは一体成形されていることを特徴とする請求項３に記載の飲料用容器の栓体。
【請求項８】
前記保護蓋は、前記ノズルを封止するスリーブを有することを特徴とする請求項７に記載の飲料用容器の栓体。
【請求項９】
前記底蓋の頂部には、前記内部空間と連通する空気孔が形成され、
前記保護蓋は、前記空気孔を閉塞するピンを有することを特徴とする請求項３に記載の飲料用容器の栓体。
【考案の詳細な説明】
【技術分野】
【０００１】
本考案は、飲料用容器の栓体に関し、特に、跳ね上げ式飲料用容器の栓体に関する。
【背景技術】
【０００２】
従来の飲料用容器は開口を有し、開口を介して飲料用容器に液体を注入したり、飲料用容器から液体を注ぎ出したりすることができる。飲料用容器には、水筒、断熱コップなど様々な種類がある。水筒を例にとると、水筒の開口には、水筒が揺れた際、液体が外部へ漏れ出ることを防いで防塵機能が得られるように一般に栓体が取り付けられている。
【０００３】
しかし雄ねじ及び雌ねじ構造を利用し、水筒の開口に栓体が螺着されている場合、水筒の液体を飲用する度に栓体を緩めて外し、飲用した後に栓体を再び開口に螺着する必要があり、とても不便であった。
【０００４】
上述したような従来技術の問題を解決するために、特許文献１の水筒は、同様に開口に栓体が螺着されているが、水筒蓋の頂部に一定の高さで突出した注ぎ口が形成されており、注ぎ口と水筒の内部とが連通している点が異なる。また、防塵密封蓋は、水筒に接続され、開位置と閉位置との間で往復運動を行い、水筒の外側には押ボタンが設けられている。
【０００５】
栓体が閉位置の場合、防塵密封蓋が水筒上に移動し、押ボタンにより防塵密封蓋が外れることを防ぎ、注ぎ口が防塵密封蓋により常時覆われた状態となる。また、栓体が開位置の場合、押ボタンで防塵密封蓋を解除し、防塵密封蓋が注ぎ口から外れる。
【０００６】
しかし、押ボタンの構造が複雑なため、組立てが煩雑である上、分解して洗浄することも不便であった。
【０００７】
そのため、従来の栓体構造は、改善が求められていた。
【先行技術文献】
【特許文献】
【０００８】
【特許文献１】中国実用新案公告第２０１９８６９２２号公報
【考案の概要】
【考案が解決しようとする課題】
【０００９】
本考案は、構造が簡素で、係合効果又は係止効果を得ることができる上、栓体の洗浄が不便だった従来の問題を解決することができる、飲料用容器の栓体を提供することを課題とする。
【課題を解決するための手段】
【００１０】
上記課題を解決するために、本考案の第１の形態によれば、底蓋及び保護蓋を備えた飲料用容器の栓体であって、前記底蓋は、前記飲料用容器の開口に着脱自在に結合される環部と、前記環部に接続した頂部と、前記環部と前記頂部との間に形成された内部空間と、前記頂部が一定の高さで隆起し、前記内部空間と連通するノズルと、を有し、前記保護蓋は、一端が前記底蓋に枢着されるとともに、前記底蓋から外れて外方へ引っ張ることが可能な係合片を他端に有し、枢着箇所を中心として開位置と閉位置との間で往復運動し、前記保護蓋が閉位置にあるとき、前記底蓋の頂部と前記保護蓋と前記ノズルとの間に環状空間が形成され、前記係合片と前記底蓋とが係合関係になると、前記ノズルが前記保護蓋により封止され、前記保護蓋が開位置にあるとき、前記係合片の係合関係が解除されて前記底蓋の頂部から前記保護蓋が外れ、前記ノズルが封止されていない状態になることを特徴とする飲料用容器の栓体が提供される。
【００１１】
前記保護蓋と前記底蓋との前記枢着箇所に取り付けられ、前記保護蓋を元の位置に戻す蓄勢を発生させる弾性部材をさらに備えることが好ましい。
【００１２】
前記係合片と前記ノズルとが係合関係に維持されることが好ましい。
【００１３】
前記係合片は、閉蓋されるときに前記ノズルの外表面に形成された凸部と係合する凹部を有することが好ましい。
【００１４】
前記係合片の幅は、前記ノズルより大きいことが好ましい。
【００１５】
前記係合片は、少なくとも１つのスリットを有することが好ましい。
【００１６】
前記保護蓋は、基板と、前記基板に形成された少なくとも１つのリブと、を含み、前記係合片と前記基板とは一体成形されていることが好ましい。
【００１７】
前記保護蓋は、前記ノズルを封止するスリーブを有することが好ましい。
【００１８】
前記底蓋の頂部には、前記内部空間と連通する空気孔が形成され、前記保護蓋は、前記空気孔を閉塞するピンを有することが好ましい。
【考案の効果】
【００１９】
本考案の飲料用容器の栓体は、保護蓋により底蓋のノズルを封止し、容易に使用することができる上、洗浄が困難な従来技術の問題を解決することができる。
【図面の簡単な説明】
【００２０】
【図１】図１は、本考案の第１実施形態に係る飲料用容器の栓体を開蓋した状態を示す斜視図である。
【図２】図２は、本考案の第１実施形態に係る飲料用容器の栓体を示す平面図である。
【図３】図３は、図２の線Ａ−Ａに沿った断面図である。
【図４】図４は、本考案の第１実施形態に係る飲料用容器の栓体を閉蓋した状態を示す斜視図である。
【図５】図５は、図４の断面図である。
【図６】図６は、本考案の第２実施形態に係る飲料用容器の栓体を開蓋した状態を示す斜視図である。
【考案を実施するための形態】
【００２１】
以下、本考案の飲料用容器の栓体の実施形態について、図面を参照しながら説明する。
【００２２】
（第１実施形態）
図１〜図３を参照する。図１〜図３に示すように、本考案の第１実施形態に係る飲料用容器の栓体１０は、ボトル、断熱コップ、水筒などの飲用容器の開口に応用することができる。
【００２３】
本考案の第１実施形態に係る栓体１０は、底蓋２０と、底蓋２０に枢着されるとともに、開位置と閉位置との間で往復運動する保護蓋４０と、保護蓋４０を元の位置に戻す蓄勢を発生させる弾性部材３０と、を含む。
【００２４】
前述の底蓋２０は、環部２１を有する。環部２１の上面には頂部２３が形成されている。環部２１と頂部２３との間には内部空間２４が形成され、水筒、断熱コップなどの飲用容器の開口と接続される。環部２１の内面には、飲用容器の開口と螺着したり、緩めて外したりするのに用いる雌ねじ２２が形成されている。
【００２５】
底蓋２０の頂部２３は、一定高さで隆起したノズル２５を一辺に有し、２つの枢着耳２９が他辺に突設されている。これら２つの枢着耳２９は一定距離で離間され、軸１２がそれぞれに挿設されている。底蓋２０の頂部２３には、空気孔２７及び２つの位置規制溝３１が形成されている。空気孔２７は、枢着耳２９（又は軸１２）とノズル２５との間に形成され、底蓋２０の内部空間２４と連通する。これら２つの位置規制溝３１は、空気孔２７の両側にそれぞれ位置する。
【００２６】
ノズル２５の中央部には、底蓋２０の内部空間２４と連通する注ぎ口２６が形成されている。ノズル２５の外側には、凸部２８が形成されている。凸部２８は、第１実施形態では略フック状を呈しているが、他の実施形態では矩形ブロック状を呈してもよい。
【００２７】
図１〜図３に示すように、保護蓋４０は基板４１を有する。基板４１の一端は曲げられて係合片４９が形成され、基板４１に隣接した他端には、バンプ４３及びピン４４が隆起して形成されている。基板４１と係合片４９との交接箇所にはスリーブ４５が形成され、スリーブ４５中には、止水パッキン５０が挿設されている。スリーブ４５から突出した係合片４９には、凹部４７及び２つのスリット４８が形成され、凹部４７の形状は凸部２８と略同じであり、これらスリット４８は係合片４９の同一辺には形成されておらず、係合片４９に周設された凹部４７は好ましい弾力性を有する。
【００２８】
保護蓋４０は、基板４１の両側に接続された２つのリブ４６を有する。リブ４６は、係合片４９より低く、一端が係合片４９に接続されて保護蓋４０の構造強度を高める。各リブ４６の他端には、枢着部４２が形成されている。枢着部４２は、環状を呈して軸１２上に嵌合され、開位置と閉位置との間で往復運動する保護蓋４０を支持する。
【００２９】
弾性部材３０は、２つの第１の脚部３２、２つの巻部３４及び２つの第２の脚部３６を含む。各巻部３４は、第１の脚部３２及び第２の脚部３６の一端に接続される。これら複数の第２の脚部３６の他端は、横方向部３８に接続されている。
【００３０】
巻部３４は、軸１２に嵌合される。各第１の脚部３２は、位置規制溝３１に挿入され、保護蓋４０が底蓋２０に対して揺動する際、第１の脚部３２が底蓋２０に当接される。また、第２の脚部３６は、横方向部３８によりバンプ４３の外側に掛け渡されているため、バンプ４３により規制されて移動し過ぎることを防ぐ。横方向部３８が基板４１に接触されているため、保護蓋４０は元の位置に戻る蓄勢を得ることができる。
【００３１】
図４及び図５を参照する。図４及び図５に示すように、閉位置にある保護蓋４０は、底蓋２０の頂部２３上に位置し、スリーブ４５がノズル２５の外側に嵌合され、止水パッキン５０により注ぎ口２６が封止され、漏れ防止、防塵などの効果を得ることができる。このとき凸部２８は係合片４９の凹部４７に係合され、保護蓋４０が外れることを防ぐ。底蓋２０の頂部２３と、保護蓋４０と、ノズル２５との間には、例えば、フックなどに栓体１０を吊り下げることができるように環状空間５２が形成されている。
【００３２】
ノズル２５の注ぎ口２６がスリーブ４５により封止されると、ピン４４が底蓋２０の空気孔２７に挿入されて閉塞される。ピン４４が略円錐形状であるため、空気孔２７にピン４４が挿入される深さが大きいほど密封度も高くなる。また、横方向部３８が基板４１により圧迫されて第１の脚部３２に近づくと、巻部３４の直径が小さくなって弾性部材３０が変形する。
【００３３】
前記係合片４９はノズル２５より広く設計されているため、外方へ容易に倒して開き、凸部２８と凹部４７との係合関係を解除することができ、係合関係が解除されて弾性部材３０が蓄勢により復位すると、保護蓋４０が底蓋２０の頂部２３から離れ、図３の開位置まで移動し、ノズル２５の注ぎ口２６がスリーブ４５により封止されない状態となる。
【００３４】
（第２実施形態）
図６を参照する。図６に示すように、本考案の第２実施形態に係る飲料用容器の栓体１０の構造は、第１実施形態と略同じであるが、基板４１が２つの枢着部４２に係合され、リブ４６の数が１つに減らされている点が異なる。
【００３５】
また、第２実施形態ではリブ４６の位置が、基板４１の側辺から中央部に変更されているが、第１実施形態と同様に保護蓋４０の構造強度を依然として高めることができる。
【００３６】
さらに、保護蓋４０は、基板４１と係合片４９とが交差する箇所に形成された閉塞部５４を有し、保護蓋４０が閉位置になると、スリーブから替えられた閉塞部５４により、ノズル２５の注ぎ口２６を封止し、漏れ防止、防塵などの効果を得ることができる。
【００３７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３８】
１０  栓体
１２  軸
２０  底蓋
２１  環部
２２  雌ねじ
２３  頂部
２４  内部空間
２５  ノズル
２６  注ぎ口
２７  空気孔
２８  凸部
２９  枢着耳
３０  弾性部材
３１  位置規制溝
３２  第１の脚部
３４  巻部
３６  第２の脚部
３８  横方向部
４０  保護蓋
４１  基板
４２  枢着部
４３  バンプ
４４  ピン
４５  スリーブ
４６  リブ
４７  凹部
４８  スリット
４９  係合片
５０  止水パッキン
５２  環状空間
５４  閉塞部
【図１】
0003200739.tif 000003
【図２】
0003200739.tif 000004
【図３】
0003200739.tif 000005
【図４】
0003200739.tif 000006
【図５】
0003200739.tif 000007
【図６】
0003200739.tif 000008
【手続補正書】
【提出日】平成27年8月27日(2015.8.27)
【手続補正１】
【補正対象書類名】実用新案登録請求の範囲
【補正対象項目名】請求項２
【補正方法】変更
【補正の内容】
【請求項２】
前記保護蓋と前記底蓋との前記枢着箇所に取り付けられ、前記保護蓋を開位置に戻す蓄勢を発生させる弾性部材をさらに備えることを特徴とする請求項１に記載の飲料用容器の栓体。
【手続補正２】
【補正対象書類名】実用新案登録請求の範囲
【補正対象項目名】請求項３
【補正方法】変更
【補正の内容】
【請求項３】
前記保護蓋が閉位置にあるとき、前記係合片と前記ノズルとが係合関係に維持されることを特徴とする請求項１又は２に記載の飲料用容器の栓体。